(57)【要約】【課題】本発明はマウスパッド洗浄装置を開示した。【解決手段】本体を含み、前記本体の中には上方に開口した挿入溝が設置され、前記挿入溝の中には挟みブロックが挿入するように連結され、前記挟みブロックの中には挟み溝が設置され、前記挟み溝の上側にはスライド溝が連通するように設置され、前記スライド溝の中にはスライド板がスライドできるように設置され、前記スライド板の左右端には前記スライド板を復帰させることができる復帰部品が固定的に設置され、前記スライド板の上端面には引きロッドが回転できるように設置され、、前記スライド溝の上側と外部には連通溝が連通するように設置される。【選択図】図１
2020175365.tif 000002
【特許請求の範囲】
【請求項１】
本体を含み、前記本体の中には上方に開口した挿入溝が設置され、前記挿入溝の中には挟みブロックが挿入するように連結され、前記挟みブロックの中には挟み溝が設置され、前記挟み溝の上側にはスライド溝が連通するように設置され、前記スライド溝の中にはスライド板がスライドできるように設置され、前記スライド板の左右端には前記スライド板を復帰させることができる復帰部品が固定的に設置され、前記スライド板の上端面には引きロッドが回転できるように設置され、、前記スライド溝の上側と外部には連通溝が連通するように設置され、前記引きロッドの上端には前端が外部空間に挿入される固定ロッドが固定的に設置され、前記スライド板の下端面の四角には回転ロッドが回転できるように設置され、前記挟み溝の四角には回転溝が連通するように設置され、前記回転溝の中には挟みロッドが回転できるように設置され、前記挟みロッドと前記回転ロッドの下端とが回転できるように連結され、前記挿入溝の両側には開けチャンバが連通するように設置され、前記開けチャンバの中には前記挟みブロックと固定的に連結される固定ブロックがスライドできるように設置され、前記開けチャンバの下側にはスライドチャンバが連通するように設置され、前記固定ブロックの下端が前記スライドチャンバの中に挿入されており、前記固定ブロックの一端にはスライドブロックが固定的に設置され、前記スライドチャンバの片側には噛合チャンバが連通するように設置され、前記噛合チャンバの中には伝動軸により回転歯車が回転できるように設置され、前記挿入溝の下側には空きチャンバが連通するように設置され、前記空きチャンバの中には旋転軸が回転できるように設置され、前記旋転軸の上端には三つの羽根が均一に分布されるように固定的に設置され、前記空きチャンバの左側には伝動装置が設置され、前記伝動装置と前記旋転軸とが伝動できるように連結され、前記空きチャンバの下側には水溝が連通するように設置され、前記水溝の中には電磁バルブが固定的に設置され、前記空きチャンバの両側には収縮溝が連通するように設置され、前記収縮溝の中に固定軸によりマウスパッドの表面を洗浄できる柔らかい洗浄輪が回転できるように設置され、前記空きチャンバには洗浄装置が左右に対称的に設置され、前記洗浄装置と同じ側の前記固定軸の前後両端とそれぞれ固定的に連結され、
前記挟みロッドがマウスパッドをきつく挟むことができ、前記固定ブロックによりマウスパッドを上昇連動させ、また前記洗浄輪が回転しマウスパッドを洗浄することを特徴とするマウスパッド洗浄装置。
【請求項２】
前記伝動装置は左側の前記伝動軸の前端に固定的に設置される第一傘歯車を含み、左側の前記噛合チャンバの中には歯車軸により前記第一傘歯車と噛合している第二傘歯車が回転できるように設置され、前記歯車軸の下端と前記旋転軸との間が歯状ベルトにより伝動できるように連結され、
前記第一傘歯車が前記羽根を回転連動させ、前記空きチャンバの中にある洗浄液を撹拌し風を生成しマウスパッドを乾燥することを特徴とする請求項１に記載のマウスパッド洗浄装置。
【請求項３】
前記洗浄装置は前後に対称しており、且つ前記収縮溝と連通しているプッシュ溝を含み、前記プッシュ溝の中にはプッシュブロックがスライドできるように設置され、前記プッシュブロックの後端面にはガイドブロックが固定的に設置され、前記プッシュ溝の中には開け溝が設置され、前記開け溝の中には連結軸により噛合歯車が回転できるように設置され、前記プッシュ溝の間には動力装置が設置され、前記動力装置と前記噛合歯車とが噛合して降り、前記開け溝の片側には伝動チャンバが連通するように設置され、前記連結軸の一端が前記伝動チャンバの中に挿入されており、且つ前記連結軸の一端には第三傘歯車が固定的に設置され、前記第三傘歯車の一端面には第四傘歯車が噛合するように連結され、前記固定軸の前後端がそれぞれ前記第四傘歯車と固定的に連結され、前記プッシュ溝と前記開けチャンバとの間には押し溝が連通するように設置され、前記押し溝の中には上端が前記固定ブロックと当接している押しロッドがスライドできるように設置され、前記押しロッドと前記プッシュブロックとの間には連結ロッドにより回転できるように連結され、前記押しロッドと前記押し溝との間には押しばねが固定的に設置され、
四つの前記押しロッドが同期に下がり、前記洗浄輪を前記空きチャンバの中に移動させ、前記洗浄輪が回転しマウスパッドを洗浄することを特徴とする請求項１に記載のマウスパッド洗浄装置。
【請求項４】
前記動力装置は前記プッシュ溝と連通している連結溝を含み、前記連結溝の中には回転軸により伝動歯車が回転できるように設置され、前記回転軸の間がそれぞれ連結ベルトにより伝動できるように連結され、後側の前記連結溝の片側には連結チャンバが連通するように設置され、前記回転軸が前記連結チャンバの中に挿入されており、且つ前記回転軸には第五傘歯車が固定的に設置され、前記第五傘歯車の前端には第六傘歯車が噛合するように連結され、前記第六傘歯車の心棒がベルトにより同じ側の前記伝動軸（前記空きチャンバを中心線として）と伝動できるように連結され、前記空きチャンバの後端壁の中にはモータが固定的に設置され、前記モータの両端には動力軸が伝動できるように連結され、前記動力軸と前記回転軸との間がそれぞれ伝動ベルトにより伝動できるように連結され、
前記モータが作動し、四つの前記伝動歯車を回転させることを特徴とする請求項３に記載のマウスパッド洗浄装置。
【発明の詳細な説明】
【技術分野】
【０００１】
本発明は包装技術分野を取り上げて、具体的にはマウスパッド洗浄装置である。
【背景技術】
【０００２】
既存のマウスパッドの洗浄過程はいずれも人工操作であり、時間がかかる一方、洗浄効果が良くなく、そして、洗浄されたマウスパッドは日陰で乾燥される必要があり、乾燥時間が長く、マウスパッドの洗浄と使用が不便になり、従って、便利にマウスパッドを洗浄する装置を設計する必要があり、洗浄効率を高める。
【先行技術文献】
【特許文献】
【０００３】
【特許文献１】中国特許出願公開第１０８８２３９３５号明細書
【発明の概要】
【発明が解決しようとする課題】
【０００４】
本発明の目的はマウスパッド洗浄装置を提供し、それは上記の現在の技術中の問題を解決できる。
【課題を解決するための手段】
【０００５】
本発明のマウスパッド洗浄装置は、本体を含み、前記本体の中には上方に開口した挿入溝が設置され、前記挿入溝の中には挟みブロックが挿入するように連結され、前記挟みブロックの中には挟み溝が設置され、前記挟み溝の上側にはスライド溝が連通するように設置され、前記スライド溝の中にはスライド板がスライドできるように設置され、前記スライド板の左右端には前記スライド板を復帰させることができる復帰部品が固定的に設置され、前記スライド板の上端面には引きロッドが回転できるように設置され、、前記スライド溝の上側と外部には連通溝が連通するように設置され、前記引きロッドの上端には前端が外部空間に挿入される固定ロッドが固定的に設置され、前記スライド板の下端面の四角には回転ロッドが回転できるように設置され、前記挟み溝の四角には回転溝が連通するように設置され、前記回転溝の中には挟みロッドが回転できるように設置され、前記挟みロッドと前記回転ロッドの下端とが回転できるように連結され、前記挿入溝の両側には開けチャンバが連通するように設置され、前記開けチャンバの中には前記挟みブロックと固定的に連結される固定ブロックがスライドできるように設置され、前記開けチャンバの下側にはスライドチャンバが連通するように設置され、前記固定ブロックの下端が前記スライドチャンバの中に挿入されており、前記固定ブロックの一端にはスライドブロックが固定的に設置され、前記スライドチャンバの片側には噛合チャンバが連通するように設置され、前記噛合チャンバの中には伝動軸により回転歯車が回転できるように設置され、前記挿入溝の下側には空きチャンバが連通するように設置され、前記空きチャンバの中には旋転軸が回転できるように設置され、前記旋転軸の上端には三つの羽根が均一に分布されるように固定的に設置され、前記空きチャンバの左側には伝動装置が設置され、前記伝動装置と前記旋転軸とが伝動できるように連結され、前記空きチャンバの下側には水溝が連通するように設置され、前記水溝の中には電磁バルブが固定的に設置され、前記空きチャンバの両側には収縮溝が連通するように設置され、前記収縮溝の中に固定軸によりマウスパッドの表面を洗浄できる柔らかい洗浄輪が回転できるように設置され、前記空きチャンバには洗浄装置が左右に対称的に設置され、前記洗浄装置と同じ側の前記固定軸の前後両端とそれぞれ固定的に連結され、
前記挟みロッドがマウスパッドをきつく挟むことができ、前記固定ブロックによりマウスパッドを上昇連動させ、また前記洗浄輪が回転しマウスパッドを洗浄する。
【０００６】
さらなる技術プラン、前記伝動装置は左側の前記伝動軸の前端に固定的に設置される第一傘歯車を含み、左側の前記噛合チャンバの中には歯車軸により前記第一傘歯車と噛合している第二傘歯車が回転できるように設置され、前記歯車軸の下端と前記旋転軸との間が歯状ベルトにより伝動できるように連結され、
前記第一傘歯車が前記羽根を回転連動させ、前記空きチャンバの中にある洗浄液を撹拌し風を生成しマウスパッドを乾燥する。
【０００７】
さらなる技術プラン、前記洗浄装置は前後に対称しており、且つ前記収縮溝と連通しているプッシュ溝を含み、前記プッシュ溝の中にはプッシュブロックがスライドできるように設置され、前記プッシュブロックの後端面にはガイドブロックが固定的に設置され、前記プッシュ溝の中には開け溝が設置され、前記開け溝の中には連結軸により噛合歯車が回転できるように設置され、前記プッシュ溝の間には動力装置が設置され、前記動力装置と前記噛合歯車とが噛合して降り、前記開け溝の片側には伝動チャンバが連通するように設置され、前記連結軸の一端が前記伝動チャンバの中に挿入されており、且つ前記連結軸の一端には第三傘歯車が固定的に設置され、前記第三傘歯車の一端面には第四傘歯車が噛合するように連結され、前記固定軸の前後端がそれぞれ前記第四傘歯車と固定的に連結され、前記プッシュ溝と前記開けチャンバとの間には押し溝が連通するように設置され、前記押し溝の中には上端が前記固定ブロックと当接している押しロッドがスライドできるように設置され、前記押しロッドと前記プッシュブロックとの間には連結ロッドにより回転できるように連結され、前記押しロッドと前記押し溝との間には押しばねが固定的に設置され、
四つの前記押しロッドが同期に下がり、前記洗浄輪を前記空きチャンバの中に移動させ、前記洗浄輪が回転しマウスパッドを洗浄する。
【０００８】
さらなる技術プラン、前記動力装置は前記プッシュ溝と連通している連結溝を含み、前記連結溝の中には回転軸により伝動歯車が回転できるように設置され、前記回転軸の間がそれぞれ連結ベルトにより伝動できるように連結され、後側の前記連結溝の片側には連結チャンバが連通するように設置され、前記回転軸が前記連結チャンバの中に挿入されており、且つ前記回転軸には第五傘歯車が固定的に設置され、前記第五傘歯車の前端には第六傘歯車が噛合するように連結され、前記第六傘歯車の心棒がベルトにより同じ側の前記伝動軸（前記空きチャンバを中心線として）と伝動できるように連結され、前記空きチャンバの後端壁の中にはモータが固定的に設置され、前記モータの両端には動力軸が伝動できるように連結され、前記動力軸と前記回転軸との間がそれぞれ伝動ベルトにより伝動できるように連結され、
前記モータが作動し、四つの前記伝動歯車を回転させる。
【発明の効果】
【０００９】
本発明の有益的な効果は：本発明は構造が簡単で、操作が便利であり、マウスパッドを浸し、こすり洗い、洗浄し、乾燥する過程で洗浄し、その過程は自動化程度が高く、人工を節約し、洗浄時間が短くなり、また洗浄されたマウスパッドが直接に使用されることができ、便利で高効率である。
【図面の簡単な説明】
【００１０】
【図１】図１は本発明のマウスパッド洗浄装置の内部全体構造概略図
【図２】図２は本発明の図１のＡの拡大構造概略図
【図３】図３は本発明の図１のＢ−Ｂ方向の構造概略図
【図４】図４は本発明の図３のＣの拡大構造概略図
【図５】図５は本発明の図３のＤ−Ｄ方向の構造概略図
【発明を実施するための形態】
【００１１】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−５を参照し、本発明のマウスパッド洗浄装置は、本体１０を含み、前記本体１０の中には上方に開口した挿入溝１１が設置され、前記挿入溝１１の中には挟みブロック１２が挿入するように連結され、前記挟みブロック１２の中には挟み溝１３が設置され、前記挟み溝１３の上側にはスライド溝１４が連通するように設置され、前記スライド溝１４の中にはスライド板１５がスライドできるように設置され、前記スライド板１５の左右端には前記スライド板１５を復帰させることができる復帰部品１６が固定的に設置され、前記スライド板１５の上端面には引きロッド１７が回転できるように設置され、、前記スライド溝１４の上側と外部には連通溝１８が連通するように設置され、前記引きロッド１７の上端には前端が外部空間に挿入される固定ロッド１９が固定的に設置され、前記スライド板１５の下端面の四角には回転ロッド２０が回転できるように設置され、前記挟み溝１３の四角には回転溝２１が連通するように設置され、前記回転溝２１の中には挟みロッド２２が回転できるように設置され、前記挟みロッド２２と前記回転ロッド２０の下端とが回転できるように連結され、前記挿入溝１１の両側には開けチャンバ２３が連通するように設置され、前記開けチャンバ２３の中には前記挟みブロック１２と固定的に連結される固定ブロック２４がスライドできるように設置され、前記開けチャンバ２３の下側にはスライドチャンバ２５が連通するように設置され、前記固定ブロック２４の下端が前記スライドチャンバ２５の中に挿入されており、前記固定ブロック２４の一端にはスライドブロック２６が固定的に設置され、前記スライドチャンバ２５の片側には噛合チャンバ２７が連通するように設置され、前記噛合チャンバ２７の中には伝動軸５５により回転歯車２８が回転できるように設置され、前記挿入溝１１の下側には空きチャンバ３５が連通するように設置され、前記空きチャンバ３５の中には旋転軸３３が回転できるように設置され、前記旋転軸３３の上端には三つの羽根３４が均一に分布されるように固定的に設置され、前記空きチャンバ３５の左側には伝動装置１００が設置され、前記伝動装置１００と前記旋転軸３３とが伝動できるように連結され、前記空きチャンバ３５の下側には水溝３６が連通するように設置され、前記水溝３６の中には電磁バルブ３７が固定的に設置され、前記空きチャンバ３５の両側には収縮溝３８が連通するように設置され、前記収縮溝３８の中に固定軸３９によりマウスパッドの表面を洗浄できる柔らかい洗浄輪４０が回転できるように設置され、前記空きチャンバ３５には洗浄装置２００が左右に対称的に設置され、前記洗浄装置２００と同じ側の前記固定軸３９の前後両端とそれぞれ固定的に連結され、
前記挟みロッド２２がマウスパッドをきつく挟むことができ、前記固定ブロック２４によりマウスパッドを上昇連動させ、また前記洗浄輪４０が回転しマウスパッドを洗浄する。
【００１３】
有益的には、前記伝動装置１００は左側の前記伝動軸５５の前端に固定的に設置される第一傘歯車２９を含み、左側の前記噛合チャンバ２７の中には歯車軸３１により前記第一傘歯車３９と噛合している第二傘歯車３０が回転できるように設置され、前記歯車軸３１の下端と前記旋転軸３３との間が歯状ベルト３２により伝動できるように連結され、
前記第一傘歯車２９が前記羽根３４を回転連動させ、前記空きチャンバ３５の中にある洗浄液を撹拌し風を生成しマウスパッドを乾燥する。
【００１４】
有益的には、前記洗浄装置２００は前後に対称しており、且つ前記収縮溝３８と連通しているプッシュ溝４７を含み、前記プッシュ溝４７の中にはプッシュブロック４５がスライドできるように設置され、前記プッシュブロック４５の後端面にはガイドブロック４６が固定的に設置され、前記プッシュ溝４７の中には開け溝４８が設置され、前記開け溝４８の中には連結軸４４により噛合歯車４９が回転できるように設置され、前記プッシュ溝４７の間には動力装置３００が設置され、前記動力装置３００と前記噛合歯車４９とが噛合して降り、前記開け溝４８の片側には伝動チャンバ４１が連通するように設置され、前記連結軸４４の一端が前記伝動チャンバ４１の中に挿入されており、且つ前記連結軸４４の一端には第三傘歯車４３が固定的に設置され、前記第三傘歯車４３の一端面には第四傘歯車４２が噛合するように連結され、前記固定軸３９の前後端がそれぞれ前記第四傘歯車４２と固定的に連結され、前記プッシュ溝４７と前記開けチャンバ２３との間には押し溝６０が連通するように設置され、前記押し溝６０の中には上端が前記固定ブロック２４と当接している押しロッド６１がスライドできるように設置され、前記押しロッド６１と前記プッシュブロック４５との間には連結ロッド５９により回転できるように連結され、前記押しロッド６１と前記押し溝６０との間には押しばね６２が固定的に設置され、
四つの前記押しロッド６１が同期に下がり、前記洗浄輪４０を前記空きチャンバ３５の中に移動させ、前記洗浄輪４０が回転しマウスパッドを洗浄する。
【００１５】
有益的には、前記動力装置３００は前記プッシュ溝４７と連通している連結溝５０を含み、前記連結溝５０の中には回転軸５２により伝動歯車５１が回転できるように設置され、前記回転軸５２の間がそれぞれ連結ベルト５３により伝動できるように連結され、後側の前記連結溝５０の片側には連結チャンバ６６が連通するように設置され、前記回転軸５２が前記連結チャンバ６６の中に挿入されており、且つ前記回転軸５２には第五傘歯車５４が固定的に設置され、前記第五傘歯車５４の前端には第六傘歯車６４が噛合するように連結され、前記第六傘歯車６４の心棒６７がベルト６５により同じ側の前記伝動軸５５（前記空きチャンバ３５を中心線として）と伝動できるように連結され、前記空きチャンバ３５の後端壁の中にはモータ５８が固定的に設置され、前記モータ５８の両端には動力軸５７が伝動できるように連結され、前記動力軸５７と前記回転軸５２との間がそれぞれ伝動ベルト５６により伝動できるように連結され、
前記モータ５８が作動し、四つの前記伝動歯車５１を回転させる。
【００１６】
初期状態では、洗浄輪４０が収縮溝３８の中に位置しており、噛合歯車４９と伝動歯車５１とが噛合していなく、固定ブロック２４と押しロッド６１とが当接しており、押しばね６２が圧縮状態にある。
【００１７】
装置が作動するとき、モータ５８が正方向に回転し作動し、動力軸５７を駆動し回転させ、それにより回転軸５２が回転し、ベルト６５により回転歯車２８を回転させ、それにより固定ブロック２４が上昇し挟みブロック１２を上昇連動させ、そして、マウスパッドの上端を挟み溝１３の中に置き、固定ロッド１９を上に引きスライド板１５を上昇連動させ、それにより回転ロッド２０により左右側の挟みロッド２２を向かい合って回転させマウスパッドの上端の前後をきつく挟ませ、固定ロッド１９の下端面を回転させて本体１０の上端面と当接させてスライド板１５を固定し、空きチャンバ３５の中に洗浄水を入れ、モータ５８が反転し、挟みブロック１２が下がり挿入溝１１と挿入するように連結され、マウスパッドを空きチャンバ３５の中にに浸し、浸した後、モータ５８が正方向に回転し、挟みブロック１２がマウスパッドを上昇連動させ、押しロッド６１が押しばね６２の作用により上昇し、プッシュブロック４５を空きチャンバ３５の方向へ移動させ、それにより左右の洗浄輪４０が向かい合って移動しマウスパッドと当接し、このとき噛合歯車４９が伝動歯車５１と噛合し、洗浄輪４０を回転させて、マウスパッドを上から下まで洗浄し、そして、電磁バルブ３７がオープンし、空きチャンバ３５の中にある洗浄水を排出し、同じ操作で空きチャンバ３５の中できれいな水を入れ、マウスパッドにある洗浄液を洗浄し、洗浄した後、空きチャンバ３５の中にある水を排出し、モータ５８が作動し、歯状ベルト３２により羽根３４を回転させ、風を生成しマウスパッドを乾燥する。
【００１８】
本発明の有益的な効果は：本発明は構造が簡単で、操作が便利であり、マウスパッドを浸し、こすり洗い、洗浄し、乾燥する過程で洗浄し、その過程は自動化程度が高く、人工を節約し、洗浄時間が短くなり、また洗浄されたマウスパッドが直接に使用されることができ、便利で高効率である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175365.tif 000003
【図２】
2020175365.tif 000004
【図３】
2020175365.tif 000005
【図４】
2020175365.tif 000006
【図５】
2020175365.tif 000007
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
本体を含み、前記本体の中には上方に開口した挿入溝が設置され、前記挿入溝の中には挟みブロックが挿入するように連結され、前記挟みブロックの中には挟み溝が設置され、前記挟み溝の上側にはスライド溝が連通するように設置され、前記スライド溝の中にはスライド板がスライドできるように設置され、前記スライド板の左右端には前記スライド板を復帰させることができる復帰部品が固定的に設置され、前記スライド板の上端面には引きロッドが回転できるように設置され、、前記スライド溝の上側と外部には連通溝が連通するように設置され、前記引きロッドの上端には前端が外部空間に挿入される固定ロッドが固定的に設置され、前記スライド板の下端面において前記スライド板の中心を基準とする四角には回転ロッドが回転できるように設置され、前記挟み溝の四角には回転溝が連通するように設置され、前記回転溝の中には挟みロッドが回転できるように設置され、前記挟みロッドと前記回転ロッドの下端とがヒンジにより連結され、前記挿入溝の両側には開けチャンバが連通するように設置され、前記開けチャンバの中には前記挟みブロックと固定的に連結される固定ブロックがスライドできるように設置され、前記開けチャンバの下側にはスライドチャンバが連通するように設置され、前記固定ブロックの下端が前記スライドチャンバの中に位置しており、前記固定ブロックの一端にはスライドブロックが固定的に設置され、前記スライドチャンバの片側には噛合チャンバが連通するように設置され、前記噛合チャンバの中には伝動軸により回転歯車が回転できるように設置され、前記挿入溝の下側には空きチャンバが連通するように設置され、前記空きチャンバの中には旋転軸が回転できるように設置され、前記旋転軸の上端には三つの羽根が均一に分布されるように固定的に設置され、前記空きチャンバの左側には伝動装置が設置され、前記伝動装置と前記旋転軸とが伝動できるように連結され、前記空きチャンバの下側には水溝が連通するように設置され、前記水溝の中には電磁バルブが固定的に設置され、前記空きチャンバの両側には収縮溝が連通するように設置され、前記収縮溝の中に固定軸によりマウスパッドの表面を洗浄できる柔らかい洗浄輪が回転できるように設置され、前記空きチャンバには洗浄装置が左右に対称的に設置され、前記洗浄装置と同じ側の前記固定軸の前後両端とそれぞれ固定的に連結され、前記挟みロッドがマウスパッドをきつく挟むことができ、前記固定ブロックによりマウスパッドを上昇連動させ、また前記洗浄輪が回転しマウスパッドを洗浄し、
前記伝動装置は左側の前記伝動軸の前端に固定的に設置される第一傘歯車を含み、左側の前記噛合チャンバの中には歯車軸により前記第一傘歯車と噛合している第二傘歯車が回転できるように設置され、前記歯車軸の下端と前記旋転軸との間が歯状ベルトにより伝動できるように連結され、
前記第一傘歯車が前記羽根を回転連動させ、前記空きチャンバの中にある洗浄液を撹拌し風を生成しマウスパッドを乾燥し、
前記洗浄装置は前後に対称しており、且つ前記収縮溝と連通しているプッシュ溝を含み、前記プッシュ溝の中にはプッシュブロックがスライドできるように設置され、前記プッシュブロックの後端面にはガイドブロックが固定的に設置され、前記プッシュ溝の中には開け溝が設置され、前記開け溝の中には連結軸により噛合歯車が回転できるように設置され、前記プッシュ溝の間には動力装置が設置され、前記動力装置と前記噛合歯車とが噛合しており、前記開け溝の片側には伝動チャンバが連通するように設置され、前記連結軸の一端が前記伝動チャンバの中に挿入されており、且つ前記連結軸の一端には第三傘歯車が固定的に設置され、前記第三傘歯車の一端面には第四傘歯車が噛合するように連結され、前記固定軸の前後端がそれぞれ前記第四傘歯車と固定的に連結され、前記プッシュ溝と前記開けチャンバとの間には押し溝が連通するように設置され、前記押し溝の中には上端が前記固定ブロックと当接している押しロッドがスライドできるように設置され、前記押しロッドと前記プッシュブロックとの間には連結ロッドにより回転できるように連結され、前記押しロッドと前記押し溝との間には押しばねが固定的に設置され、
四つの前記押しロッドが同期に下がり、前記洗浄輪を前記空きチャンバの中に移動させ、前記洗浄輪が回転しマウスパッドを洗浄し、
前記動力装置は前記プッシュ溝と連通している連結溝を含み、前記連結溝の中には回転軸により伝動歯車が回転できるように設置され、前記回転軸の間がそれぞれ連結ベルトにより伝動できるように連結され、後側の前記連結溝の片側には連結チャンバが連通するように設置され、前記回転軸が前記連結チャンバの中に挿入されており、且つ前記回転軸には第五傘歯車が固定的に設置され、前記第五傘歯車の前端には第六傘歯車が噛合するように連結され、前記第六傘歯車の心棒がベルトにより左側の前記伝動軸と伝動できるように連結され、前記空きチャンバの後端壁の中にはモータが固定的に設置され、前記モータの両端には動力軸が装着され、前記動力軸と前記回転軸との間がそれぞれ伝動ベルトにより伝動できるように連結され、
前記モータが作動し、四つの前記伝動歯車を回転させることを特徴とするマウスパッド洗浄装置。
【手続補正２】
【補正対象書類名】明細書
【補正対象項目名】全文
【補正方法】変更
【補正の内容】
【発明の詳細な説明】
【技術分野】
【０００１】
本発明は包装技術分野を取り上げて、具体的にはマウスパッド洗浄装置である。
【背景技術】
【０００２】
既存のマウスパッドの洗浄過程はいずれも人工操作であり、時間がかかる一方、洗浄効果が良くなく、そして、洗浄されたマウスパッドは日陰で乾燥される必要があり、乾燥時間が長く、マウスパッドの洗浄と使用が不便になり、従って、便利にマウスパッドを洗浄する装置を設計する必要があり、洗浄効率を高める。
【先行技術文献】
【特許文献】
【０００３】
【特許文献１】中国特許出願公開第１０８８２３９３５号明細書
【発明の概要】
【発明が解決しようとする課題】
【０００４】
本発明の目的はマウスパッド洗浄装置を提供し、それは上記の現在の技術中の問題を解決できる。
【課題を解決するための手段】
【０００５】
本発明のマウスパッド洗浄装置は、本体を含み、前記本体の中には上方に開口した挿入溝が設置され、前記挿入溝の中には挟みブロックが挿入するように連結され、前記挟みブロックの中には挟み溝が設置され、前記挟み溝の上側にはスライド溝が連通するように設置され、前記スライド溝の中にはスライド板がスライドできるように設置され、前記スライド板の左右端には前記スライド板を復帰させることができる復帰部品が固定的に設置され、前記スライド板の上端面には引きロッドが回転できるように設置され、、前記スライド溝の上側と外部には連通溝が連通するように設置され、前記引きロッドの上端には前端が外部空間に挿入される固定ロッドが固定的に設置され、前記スライド板の下端面において前記スライド板の中心を基準とする四角には回転ロッドが回転できるように設置され、前記挟み溝の四角には回転溝が連通するように設置され、前記回転溝の中には挟みロッドが回転できるように設置され、前記挟みロッドと前記回転ロッドの下端とがヒンジにより連結され、前記挿入溝の両側には開けチャンバが連通するように設置され、前記開けチャンバの中には前記挟みブロックと固定的に連結される固定ブロックがスライドできるように設置され、前記開けチャンバの下側にはスライドチャンバが連通するように設置され、前記固定ブロックの下端が前記スライドチャンバの中に位置しており、前記固定ブロックの一端にはスライドブロックが固定的に設置され、前記スライドチャンバの片側には噛合チャンバが連通するように設置され、前記噛合チャンバの中には伝動軸により回転歯車が回転できるように設置され、前記挿入溝の下側には空きチャンバが連通するように設置され、前記空きチャンバの中には旋転軸が回転できるように設置され、前記旋転軸の上端には三つの羽根が均一に分布されるように固定的に設置され、前記空きチャンバの左側には伝動装置が設置され、前記伝動装置と前記旋転軸とが伝動できるように連結され、前記空きチャンバの下側には水溝が連通するように設置され、前記水溝の中には電磁バルブが固定的に設置され、前記空きチャンバの両側には収縮溝が連通するように設置され、前記収縮溝の中に固定軸によりマウスパッドの表面を洗浄できる柔らかい洗浄輪が回転できるように設置され、前記空きチャンバには洗浄装置が左右に対称的に設置され、前記洗浄装置と同じ側の前記固定軸の前後両端とそれぞれ固定的に連結され、
前記挟みロッドがマウスパッドをきつく挟むことができ、前記固定ブロックによりマウスパッドを上昇連動させ、また前記洗浄輪が回転しマウスパッドを洗浄する。
【０００６】
さらなる技術プラン、前記伝動装置は左側の前記伝動軸の前端に固定的に設置される第一傘歯車を含み、左側の前記噛合チャンバの中には歯車軸により前記第一傘歯車と噛合している第二傘歯車が回転できるように設置され、前記歯車軸の下端と前記旋転軸との間が歯状ベルトにより伝動できるように連結され、
前記第一傘歯車が前記羽根を回転連動させ、前記空きチャンバの中にある洗浄液を撹拌し風を生成しマウスパッドを乾燥する。
【０００７】
さらなる技術プラン、前記洗浄装置は前後に対称しており、且つ前記収縮溝と連通しているプッシュ溝を含み、前記プッシュ溝の中にはプッシュブロックがスライドできるように設置され、前記プッシュブロックの後端面にはガイドブロックが固定的に設置され、前記プッシュ溝の中には開け溝が設置され、前記開け溝の中には連結軸により噛合歯車が回転できるように設置され、前記プッシュ溝の間には動力装置が設置され、前記動力装置と前記噛合歯車とが噛合しており、前記開け溝の片側には伝動チャンバが連通するように設置され、前記連結軸の一端が前記伝動チャンバの中に挿入されており、且つ前記連結軸の一端には第三傘歯車が固定的に設置され、前記第三傘歯車の一端面には第四傘歯車が噛合するように連結され、前記固定軸の前後端がそれぞれ前記第四傘歯車と固定的に連結され、前記プッシュ溝と前記開けチャンバとの間には押し溝が連通するように設置され、前記押し溝の中には上端が前記固定ブロックと当接している押しロッドがスライドできるように設置され、前記押しロッドと前記プッシュブロックとの間には連結ロッドにより回転できるように連結され、前記押しロッドと前記押し溝との間には押しばねが固定的に設置され、
四つの前記押しロッドが同期に下がり、前記洗浄輪を前記空きチャンバの中に移動させ、前記洗浄輪が回転しマウスパッドを洗浄する。
【０００８】
さらなる技術プラン、前記動力装置は前記プッシュ溝と連通している連結溝を含み、前記連結溝の中には回転軸により伝動歯車が回転できるように設置され、前記回転軸の間がそれぞれ連結ベルトにより伝動できるように連結され、後側の前記連結溝の片側には連結チャンバが連通するように設置され、前記回転軸が前記連結チャンバの中に挿入されており、且つ前記回転軸には第五傘歯車が固定的に設置され、前記第五傘歯車の前端には第六傘歯車が噛合するように連結され、前記第六傘歯車の心棒がベルトにより左側の前記伝動軸と伝動できるように連結され、前記空きチャンバの後端壁の中にはモータが固定的に設置され、前記モータの両端には動力軸が装着され、前記動力軸と前記回転軸との間がそれぞれ伝動ベルトにより伝動できるように連結され、
前記モータが作動し、四つの前記伝動歯車を回転させる。
【発明の効果】
【０００９】
本発明の有益的な効果は：本発明は構造が簡単で、操作が便利であり、マウスパッドを浸し、こすり洗い、洗浄し、乾燥する過程で洗浄し、その過程は自動化程度が高く、人工を節約し、洗浄時間が短くなり、また洗浄されたマウスパッドが直接に使用されることができ、便利で高効率である。
【図面の簡単な説明】
【００１０】
【図１】図１は本発明のマウスパッド洗浄装置の内部全体構造概略図
【図２】図２は本発明の図１のＡの拡大構造概略図
【図３】図３は本発明の図１のＢ−Ｂ方向の構造概略図
【図４】図４は本発明の図３のＣの拡大構造概略図
【図５】図５は本発明の図３のＤ−Ｄ方向の構造概略図
【発明を実施するための形態】
【００１１】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−５を参照し、本発明のマウスパッド洗浄装置は、本体１０を含み、前記本体１０の中には上方に開口した挿入溝１１が設置され、前記挿入溝１１の中には挟みブロック１２が挿入するように連結され、前記挟みブロック１２の中には挟み溝１３が設置され、前記挟み溝１３の上側にはスライド溝１４が連通するように設置され、前記スライド溝１４の中にはスライド板１５がスライドできるように設置され、前記スライド板１５の左右端には前記スライド板１５を復帰させることができる復帰部品１６が固定的に設置され、前記スライド板１５の上端面には引きロッド１７が回転できるように設置され、、前記スライド溝１４の上側と外部には連通溝１８が連通するように設置され、前記引きロッド１７の上端には前端が外部空間に挿入される固定ロッド１９が固定的に設置され、前記スライド板１５の下端面において前記スライド板１５の中心を基準とする四角には回転ロッド２０が回転できるように設置され、前記挟み溝１３の四角には回転溝２１が連通するように設置され、前記回転溝２１の中には挟みロッド２２が回転できるように設置され、前記挟みロッド２２と前記回転ロッド２０の下端とがヒンジにより連結され、前記挿入溝１１の両側には開けチャンバ２３が連通するように設置され、前記開けチャンバ２３の中には前記挟みブロック１２と固定的に連結される固定ブロック２４がスライドできるように設置され、前記開けチャンバ２３の下側にはスライドチャンバ２５が連通するように設置され、前記固定ブロック２４の下端が前記スライドチャンバ２５の中に位置しており、前記固定ブロック２４の一端にはスライドブロック２６が固定的に設置され、前記スライドチャンバ２５の片側には噛合チャンバ２７が連通するように設置され、前記噛合チャンバ２７の中には伝動軸５５により回転歯車２８が回転できるように設置され、前記挿入溝１１の下側には空きチャンバ３５が連通するように設置され、前記空きチャンバ３５の中には旋転軸３３が回転できるように設置され、前記旋転軸３３の上端には三つの羽根３４が均一に分布されるように固定的に設置され、前記空きチャンバ３５の左側には伝動装置１００が設置され、前記伝動装置１００と前記旋転軸３３とが伝動できるように連結され、前記空きチャンバ３５の下側には水溝３６が連通するように設置され、前記水溝３６の中には電磁バルブ３７が固定的に設置され、前記空きチャンバ３５の両側には収縮溝３８が連通するように設置され、前記収縮溝３８の中に固定軸３９によりマウスパッドの表面を洗浄できる柔らかい洗浄輪４０が回転できるように設置され、前記空きチャンバ３５には洗浄装置２００が左右に対称的に設置され、前記洗浄装置２００と同じ側の前記固定軸３９の前後両端とそれぞれ固定的に連結され、前記挟みロッド２２がマウスパッドをきつく挟むことができ、前記固定ブロック２４によりマウスパッドを上昇連動させ、また前記洗浄輪４０が回転しマウスパッドを洗浄する。
【００１３】
有益的には、前記伝動装置１００は左側の前記伝動軸５５の前端に固定的に設置される第一傘歯車２９を含み、左側の前記噛合チャンバ２７の中には歯車軸３１により前記第一傘歯車３９と噛合している第二傘歯車３０が回転できるように設置され、前記歯車軸３１の下端と前記旋転軸３３との間が歯状ベルト３２により伝動できるように連結され、
前記第一傘歯車２９が前記羽根３４を回転連動させ、前記空きチャンバ３５の中にある洗浄液を撹拌し風を生成しマウスパッドを乾燥する。
【００１４】
有益的には、前記洗浄装置２００は前後に対称しており、且つ前記収縮溝３８と連通しているプッシュ溝４７を含み、前記プッシュ溝４７の中にはプッシュブロック４５がスライドできるように設置され、前記プッシュブロック４５の後端面にはガイドブロック４６が固定的に設置され、前記プッシュ溝４７の中には開け溝４８が設置され、前記開け溝４８の中には連結軸４４により噛合歯車４９が回転できるように設置され、前記プッシュ溝４７の間には動力装置３００が設置され、前記動力装置３００と前記噛合歯車４９とが噛合しており、前記開け溝４８の片側には伝動チャンバ４１が連通するように設置され、前記連結軸４４の一端が前記伝動チャンバ４１の中に挿入されており、且つ前記連結軸４４の一端には第三傘歯車４３が固定的に設置され、前記第三傘歯車４３の一端面には第四傘歯車４２が噛合するように連結され、前記固定軸３９の前後端がそれぞれ前記第四傘歯車４２と固定的に連結され、前記プッシュ溝４７と前記開けチャンバ２３との間には押し溝６０が連通するように設置され、前記押し溝６０の中には上端が前記固定ブロック２４と当接している押しロッド６１がスライドできるように設置され、前記押しロッド６１と前記プッシュブロック４５との間には連結ロッド５９により回転できるように連結され、前記押しロッド６１と前記押し溝６０との間には押しばね６２が固定的に設置され、
四つの前記押しロッド６１が同期に下がり、前記洗浄輪４０を前記空きチャンバ３５の中に移動させ、前記洗浄輪４０が回転しマウスパッドを洗浄する。
【００１５】
有益的には、前記動力装置３００は前記プッシュ溝４７と連通している連結溝５０を含み、前記連結溝５０の中には回転軸５２により伝動歯車５１が回転できるように設置され、前記回転軸５２の間がそれぞれ連結ベルト５３により伝動できるように連結され、後側の前記連結溝５０の片側には連結チャンバ６６が連通するように設置され、前記回転軸５２が前記連結チャンバ６６の中に挿入されており、且つ前記回転軸５２には第五傘歯車５４が固定的に設置され、前記第五傘歯車５４の前端には第六傘歯車６４が噛合するように連結され、前記第六傘歯車６４の心棒６７がベルト６５により左側の前記伝動軸５５と伝動できるように連結され、前記空きチャンバ３５の後端壁の中にはモータ５８が固定的に設置され、前記モータ５８の両端には動力軸５７が装着され、前記動力軸５７と前記回転軸５２との間がそれぞれ伝動ベルト５６により伝動できるように連結され、
前記モータ５８が作動し、四つの前記伝動歯車５１を回転させる。
【００１６】
初期状態では、洗浄輪４０が収縮溝３８の中に位置しており、噛合歯車４９と伝動歯車５１とが噛合していなく、固定ブロック２４と押しロッド６１とが当接しており、押しばね６２が圧縮状態にある。
【００１７】
装置が作動するとき、モータ５８が正方向に回転し作動し、動力軸５７を駆動し回転させ、それにより回転軸５２が回転し、ベルト６５により回転歯車２８を回転させ、それにより固定ブロック２４が上昇し挟みブロック１２を上昇連動させ、そして、マウスパッドの上端を挟み溝１３の中に置き、固定ロッド１９を上に引きスライド板１５を上昇連動させ、それにより回転ロッド２０により左右側の挟みロッド２２を向かい合って回転させマウスパッドの上端の前後をきつく挟ませ、固定ロッド１９の下端面を回転させて挟みブロック１２の上端面と当接させてスライド板１５を固定し、空きチャンバ３５の中に洗浄水を入れ、モータ５８が反転し、挟みブロック１２が下がり挿入溝１１と挿入するように連結され、マウスパッドを空きチャンバ３５の中にに浸し、浸した後、モータ５８が正方向に回転し、挟みブロック１２がマウスパッドを上昇連動させ、押しロッド６１が押しばね６２の作用により上昇し、プッシュブロック４５を空きチャンバ３５の方向へ移動させ、それにより左右の洗浄輪４０が向かい合って移動しマウスパッドと当接し、このとき噛合歯車４９が伝動歯車５１と噛合し、洗浄輪４０を回転させて、マウスパッドを上から下まで洗浄し、そして、電磁バルブ３７がオープンし、空きチャンバ３５の中にある洗浄水を排出し、同じ操作で空きチャンバ３５の中できれいな水を入れ、マウスパッドにある洗浄液を洗浄し、洗浄した後、空きチャンバ３５の中にある水を排出し、モータ５８が作動し、歯状ベルト３２により羽根３４を回転させ、風を生成しマウスパッドを乾燥する。
【００１８】
本発明の有益的な効果は：本発明は構造が簡単で、操作が便利であり、マウスパッドを浸し、こすり洗い、洗浄し、乾燥する過程で洗浄し、その過程は自動化程度が高く、人工を節約し、洗浄時間が短くなり、また洗浄されたマウスパッドが直接に使用されることができ、便利で高効率である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
本体を含み、前記本体の中には上方に開口した挿入溝が設置され、前記挿入溝の中には挟みブロックが挿入するように連結され、前記挟みブロックの中には挟み溝が設置され、前記挟み溝の上側にはスライド溝が連通するように設置され、前記スライド溝の中にはスライド板がスライドできるように設置され、前記スライド板の左右端には前記スライド板を復帰させることができる復帰部品が固定的に設置され、前記スライド板の上端面には引きロッドが回転できるように設置され、、前記スライド溝の上側と外部には連通溝が連通するように設置され、前記引きロッドの上端には前端が外部空間に挿入される固定ロッドが固定的に設置され、前記スライド板の下端面の四隅には回転ロッドが回転できるように設置され、前記挟み溝の四角には回転溝が連通するように設置され、前記回転溝の中には挟みロッドが回転できるように設置され、前記挟みロッドと前記回転ロッドの下端とが回転可能に連結され、且つ前記挟みロッドと前記回転ロッドとは両者の連結部を基準として回転し、前記挿入溝の両側には開けチャンバが連通するように設置され、前記開けチャンバの中には前記挟みブロックと固定的に連結される固定ブロックがスライドできるように設置され、前記開けチャンバの下側にはスライドチャンバが連通するように設置され、前記固定ブロックの下端が前記スライドチャンバの中に位置しており、前記固定ブロックの一端にはスライドブロックが固定的に設置され、前記スライドチャンバの片側には噛合チャンバが連通するように設置され、前記噛合チャンバの中には伝動軸により回転歯車が回転できるように設置され、前記挿入溝の下側には空きチャンバが連通するように設置され、前記空きチャンバの中には旋転軸が回転できるように設置され、前記旋転軸の上端には三つの羽根が均一に分布されるように固定的に設置され、前記空きチャンバの左側には伝動装置が設置され、前記伝動装置と前記旋転軸とが伝動できるように連結され、前記空きチャンバの下側には水溝が連通するように設置され、前記水溝の中には電磁バルブが固定的に設置され、前記空きチャンバの両側には収縮溝が連通するように設置され、前記収縮溝の中に固定軸によりマウスパッドの表面を洗浄できる柔らかい洗浄輪が回転できるように設置され、前記空きチャンバには洗浄装置が左右に対称的に設置され、前記洗浄装置と同じ側の前記固定軸の前後両端とそれぞれ固定的に連結され、前記挟みロッドがマウスパッドをきつく挟むことができ、前記固定ブロックによりマウスパッドを上昇連動させ、また前記洗浄輪が回転しマウスパッドを洗浄し、
前記伝動装置は左側の前記伝動軸の前端に固定的に設置される第一傘歯車を含み、左側の前記噛合チャンバの中には歯車軸により前記第一傘歯車と噛合している第二傘歯車が回転できるように設置され、前記歯車軸の下端と前記旋転軸との間が歯状ベルトにより伝動できるように連結され、
前記第一傘歯車が前記羽根を回転連動させ、前記空きチャンバの中にある洗浄液を撹拌し風を生成しマウスパッドを乾燥し、
前記洗浄装置は前後に対称しており、且つ前記収縮溝と連通しているプッシュ溝を含み、前記プッシュ溝の中にはプッシュブロックがスライドできるように設置され、前記プッシュブロックの後端面にはガイドブロックが固定的に設置され、前記プッシュ溝の中には開け溝が設置され、前記開け溝の中には連結軸により噛合歯車が回転できるように設置され、前記プッシュ溝の間には動力装置が設置され、前記動力装置と前記噛合歯車とが噛合しており、前記開け溝の片側には伝動チャンバが連通するように設置され、前記連結軸の一端が前記伝動チャンバの中に挿入されており、且つ前記連結軸の一端には第三傘歯車が固定的に設置され、前記第三傘歯車の一端面には第四傘歯車が噛合するように連結され、前記固定軸の前後端がそれぞれ前記第四傘歯車と固定的に連結され、前記プッシュ溝と前記開けチャンバとの間には押し溝が連通するように設置され、前記押し溝の中には上端が前記固定ブロックと当接している押しロッドがスライドできるように設置され、前記押しロッドと前記プッシュブロックとの間には連結ロッドにより回転できるように連結され、前記押しロッドと前記押し溝との間には押しばねが固定的に設置され、
四つの前記押しロッドが同期に下がり、前記洗浄輪を前記空きチャンバの中に移動させ、前記洗浄輪が回転しマウスパッドを洗浄し、
前記動力装置は前記プッシュ溝と連通している連結溝を含み、前記連結溝の中には回転軸により伝動歯車が回転できるように設置され、前記回転軸の間がそれぞれ連結ベルトにより伝動できるように連結され、後側の前記連結溝の片側には連結チャンバが連通するように設置され、前記回転軸が前記連結チャンバの中に挿入されており、且つ前記回転軸には第五傘歯車が固定的に設置され、前記第五傘歯車の前端には第六傘歯車が噛合するように連結され、前記第六傘歯車の心棒がベルトにより左側の前記伝動軸と伝動できるように連結され、前記空きチャンバの後端壁の中にはモータが固定的に設置され、前記モータの両端には動力軸が装着され、前記動力軸と前記回転軸との間がそれぞれ伝動ベルトにより伝動できるように連結され、
前記モータが作動し、四つの前記伝動歯車を回転させることを特徴とするマウスパッド洗浄装置。
【手続補正２】
【補正対象書類名】明細書
【補正対象項目名】全文
【補正方法】変更
【補正の内容】
【発明の詳細な説明】
【技術分野】
【０００１】
本発明は包装技術分野を取り上げて、具体的にはマウスパッド洗浄装置である。
【背景技術】
【０００２】
既存のマウスパッドの洗浄過程はいずれも人工操作であり、時間がかかる一方、洗浄効果が良くなく、そして、洗浄されたマウスパッドは日陰で乾燥される必要があり、乾燥時間が長く、マウスパッドの洗浄と使用が不便になり、従って、便利にマウスパッドを洗浄する装置を設計する必要があり、洗浄効率を高める。
【先行技術文献】
【特許文献】
【０００３】
【特許文献１】中国特許出願公開第１０８８２３９３５号明細書
【発明の概要】
【発明が解決しようとする課題】
【０００４】
本発明の目的はマウスパッド洗浄装置を提供し、それは上記の現在の技術中の問題を解決できる。
【課題を解決するための手段】
【０００５】
本発明のマウスパッド洗浄装置は、本体を含み、前記本体の中には上方に開口した挿入溝が設置され、前記挿入溝の中には挟みブロックが挿入するように連結され、前記挟みブロックの中には挟み溝が設置され、前記挟み溝の上側にはスライド溝が連通するように設置され、前記スライド溝の中にはスライド板がスライドできるように設置され、前記スライド板の左右端には前記スライド板を復帰させることができる復帰部品が固定的に設置され、前記スライド板の上端面には引きロッドが回転できるように設置され、、前記スライド溝の上側と外部には連通溝が連通するように設置され、前記引きロッドの上端には前端が外部空間に挿入される固定ロッドが固定的に設置され、前記スライド板の下端面の四隅には回転ロッドが回転できるように設置され、前記挟み溝の四角には回転溝が連通するように設置され、前記回転溝の中には挟みロッドが回転できるように設置され、前記挟みロッドと前記回転ロッドの下端とが回転可能に連結され、且つ前記挟みロッドと前記回転ロッドとは両者の連結部を基準として回転し、前記挿入溝の両側には開けチャンバが連通するように設置され、前記開けチャンバの中には前記挟みブロックと固定的に連結される固定ブロックがスライドできるように設置され、前記開けチャンバの下側にはスライドチャンバが連通するように設置され、前記固定ブロックの下端が前記スライドチャンバの中に位置しており、前記固定ブロックの一端にはスライドブロックが固定的に設置され、前記スライドチャンバの片側には噛合チャンバが連通するように設置され、前記噛合チャンバの中には伝動軸により回転歯車が回転できるように設置され、前記挿入溝の下側には空きチャンバが連通するように設置され、前記空きチャンバの中には旋転軸が回転できるように設置され、前記旋転軸の上端には三つの羽根が均一に分布されるように固定的に設置され、前記空きチャンバの左側には伝動装置が設置され、前記伝動装置と前記旋転軸とが伝動できるように連結され、前記空きチャンバの下側には水溝が連通するように設置され、前記水溝の中には電磁バルブが固定的に設置され、前記空きチャンバの両側には収縮溝が連通するように設置され、前記収縮溝の中に固定軸によりマウスパッドの表面を洗浄できる柔らかい洗浄輪が回転できるように設置され、前記空きチャンバには洗浄装置が左右に対称的に設置され、前記洗浄装置と同じ側の前記固定軸の前後両端とそれぞれ固定的に連結され、
前記挟みロッドがマウスパッドをきつく挟むことができ、前記固定ブロックによりマウスパッドを上昇連動させ、また前記洗浄輪が回転しマウスパッドを洗浄する。
【０００６】
さらなる技術プラン、前記伝動装置は左側の前記伝動軸の前端に固定的に設置される第一傘歯車を含み、左側の前記噛合チャンバの中には歯車軸により前記第一傘歯車と噛合している第二傘歯車が回転できるように設置され、前記歯車軸の下端と前記旋転軸との間が歯状ベルトにより伝動できるように連結され、
前記第一傘歯車が前記羽根を回転連動させ、前記空きチャンバの中にある洗浄液を撹拌し風を生成しマウスパッドを乾燥する。
【０００７】
さらなる技術プラン、前記洗浄装置は前後に対称しており、且つ前記収縮溝と連通しているプッシュ溝を含み、前記プッシュ溝の中にはプッシュブロックがスライドできるように設置され、前記プッシュブロックの後端面にはガイドブロックが固定的に設置され、前記プッシュ溝の中には開け溝が設置され、前記開け溝の中には連結軸により噛合歯車が回転できるように設置され、前記プッシュ溝の間には動力装置が設置され、前記動力装置と前記噛合歯車とが噛合しており、前記開け溝の片側には伝動チャンバが連通するように設置され、前記連結軸の一端が前記伝動チャンバの中に挿入されており、且つ前記連結軸の一端には第三傘歯車が固定的に設置され、前記第三傘歯車の一端面には第四傘歯車が噛合するように連結され、前記固定軸の前後端がそれぞれ前記第四傘歯車と固定的に連結され、前記プッシュ溝と前記開けチャンバとの間には押し溝が連通するように設置され、前記押し溝の中には上端が前記固定ブロックと当接している押しロッドがスライドできるように設置され、前記押しロッドと前記プッシュブロックとの間には連結ロッドにより回転できるように連結され、前記押しロッドと前記押し溝との間には押しばねが固定的に設置され、
四つの前記押しロッドが同期に下がり、前記洗浄輪を前記空きチャンバの中に移動させ、前記洗浄輪が回転しマウスパッドを洗浄する。
【０００８】
さらなる技術プラン、前記動力装置は前記プッシュ溝と連通している連結溝を含み、前記連結溝の中には回転軸により伝動歯車が回転できるように設置され、前記回転軸の間がそれぞれ連結ベルトにより伝動できるように連結され、後側の前記連結溝の片側には連結チャンバが連通するように設置され、前記回転軸が前記連結チャンバの中に挿入されており、且つ前記回転軸には第五傘歯車が固定的に設置され、前記第五傘歯車の前端には第六傘歯車が噛合するように連結され、前記第六傘歯車の心棒がベルトにより左側の前記伝動軸と伝動できるように連結され、前記空きチャンバの後端壁の中にはモータが固定的に設置され、前記モータの両端には動力軸が装着され、前記動力軸と前記回転軸との間がそれぞれ伝動ベルトにより伝動できるように連結され、
前記モータが作動し、四つの前記伝動歯車を回転させる。
【発明の効果】
【０００９】
本発明の有益的な効果は：本発明は構造が簡単で、操作が便利であり、マウスパッドを浸し、こすり洗い、洗浄し、乾燥する過程で洗浄し、その過程は自動化程度が高く、人工を節約し、洗浄時間が短くなり、また洗浄されたマウスパッドが直接に使用されることができ、便利で高効率である。
【図面の簡単な説明】
【００１０】
【図１】図１は本発明のマウスパッド洗浄装置の内部全体構造概略図
【図２】図２は本発明の図１のＡの拡大構造概略図
【図３】図３は本発明の図１のＢ−Ｂ方向の構造概略図
【図４】図４は本発明の図３のＣの拡大構造概略図
【図５】図５は本発明の図３のＤ−Ｄ方向の構造概略図
【発明を実施するための形態】
【００１１】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−５を参照し、本発明のマウスパッド洗浄装置は、本体１０を含み、前記本体１０の中には上方に開口した挿入溝１１が設置され、前記挿入溝１１の中には挟みブロック１２が挿入するように連結され、前記挟みブロック１２の中には挟み溝１３が設置され、前記挟み溝１３の上側にはスライド溝１４が連通するように設置され、前記スライド溝１４の中にはスライド板１５がスライドできるように設置され、前記スライド板１５の左右端には前記スライド板１５を復帰させることができる復帰部品１６が固定的に設置され、前記スライド板１５の上端面には引きロッド１７が回転できるように設置され、、前記スライド溝１４の上側と外部には連通溝１８が連通するように設置され、前記引きロッド１７の上端には前端が外部空間に挿入される固定ロッド１９が固定的に設置され、前記スライド板１５の下端面の四隅には回転ロッド２０が回転できるように設置され、前記挟み溝１３の四角には回転溝２１が連通するように設置され、前記回転溝２１の中には挟みロッド２２が回転できるように設置され、前記挟みロッド２２と前記回転ロッド２０の下端とが回転可能に連結され、且つ前記挟みロッド２２と前記回転ロッド２０とは両者の連結部を基準として回転し、前記挿入溝１１の両側には開けチャンバ２３が連通するように設置され、前記開けチャンバ２３の中には前記挟みブロック１２と固定的に連結される固定ブロック２４がスライドできるように設置され、前記開けチャンバ２３の下側にはスライドチャンバ２５が連通するように設置され、前記固定ブロック２４の下端が前記スライドチャンバ２５の中に位置しており、前記固定ブロック２４の一端にはスライドブロック２６が固定的に設置され、前記スライドチャンバ２５の片側には噛合チャンバ２７が連通するように設置され、前記噛合チャンバ２７の中には伝動軸５５により回転歯車２８が回転できるように設置され、前記挿入溝１１の下側には空きチャンバ３５が連通するように設置され、前記空きチャンバ３５の中には旋転軸３３が回転できるように設置され、前記旋転軸３３の上端には三つの羽根３４が均一に分布されるように固定的に設置され、前記空きチャンバ３５の左側には伝動装置１００が設置され、前記伝動装置１００と前記旋転軸３３とが伝動できるように連結され、前記空きチャンバ３５の下側には水溝３６が連通するように設置され、前記水溝３６の中には電磁バルブ３７が固定的に設置され、前記空きチャンバ３５の両側には収縮溝３８が連通するように設置され、前記収縮溝３８の中に固定軸３９によりマウスパッドの表面を洗浄できる柔らかい洗浄輪４０が回転できるように設置され、前記空きチャンバ３５には洗浄装置２００が左右に対称的に設置され、前記洗浄装置２００と同じ側の前記固定軸３９の前後両端とそれぞれ固定的に連結され、前記挟みロッド２２がマウスパッドをきつく挟むことができ、前記固定ブロック２４によりマウスパッドを上昇連動させ、また前記洗浄輪４０が回転しマウスパッドを洗浄する。
【００１３】
有益的には、前記伝動装置１００は左側の前記伝動軸５５の前端に固定的に設置される第一傘歯車２９を含み、左側の前記噛合チャンバ２７の中には歯車軸３１により前記第一傘歯車３９と噛合している第二傘歯車３０が回転できるように設置され、前記歯車軸３１の下端と前記旋転軸３３との間が歯状ベルト３２により伝動できるように連結され、
前記第一傘歯車２９が前記羽根３４を回転連動させ、前記空きチャンバ３５の中にある洗浄液を撹拌し風を生成しマウスパッドを乾燥する。
【００１４】
有益的には、前記洗浄装置２００は前後に対称しており、且つ前記収縮溝３８と連通しているプッシュ溝４７を含み、前記プッシュ溝４７の中にはプッシュブロック４５がスライドできるように設置され、前記プッシュブロック４５の後端面にはガイドブロック４６が固定的に設置され、前記プッシュ溝４７の中には開け溝４８が設置され、前記開け溝４８の中には連結軸４４により噛合歯車４９が回転できるように設置され、前記プッシュ溝４７の間には動力装置３００が設置され、前記動力装置３００と前記噛合歯車４９とが噛合しており、前記開け溝４８の片側には伝動チャンバ４１が連通するように設置され、前記連結軸４４の一端が前記伝動チャンバ４１の中に挿入されており、且つ前記連結軸４４の一端には第三傘歯車４３が固定的に設置され、前記第三傘歯車４３の一端面には第四傘歯車４２が噛合するように連結され、前記固定軸３９の前後端がそれぞれ前記第四傘歯車４２と固定的に連結され、前記プッシュ溝４７と前記開けチャンバ２３との間には押し溝６０が連通するように設置され、前記押し溝６０の中には上端が前記固定ブロック２４と当接している押しロッド６１がスライドできるように設置され、前記押しロッド６１と前記プッシュブロック４５との間には連結ロッド５９により回転できるように連結され、前記押しロッド６１と前記押し溝６０との間には押しばね６２が固定的に設置され、
四つの前記押しロッド６１が同期に下がり、前記洗浄輪４０を前記空きチャンバ３５の中に移動させ、前記洗浄輪４０が回転しマウスパッドを洗浄する。
【００１５】
有益的には、前記動力装置３００は前記プッシュ溝４７と連通している連結溝５０を含み、前記連結溝５０の中には回転軸５２により伝動歯車５１が回転できるように設置され、前記回転軸５２の間がそれぞれ連結ベルト５３により伝動できるように連結され、後側の前記連結溝５０の片側には連結チャンバ６６が連通するように設置され、前記回転軸５２が前記連結チャンバ６６の中に挿入されており、且つ前記回転軸５２には第五傘歯車５４が固定的に設置され、前記第五傘歯車５４の前端には第六傘歯車６４が噛合するように連結され、前記第六傘歯車６４の心棒６７がベルト６５により左側の前記伝動軸５５と伝動できるように連結され、前記空きチャンバ３５の後端壁の中にはモータ５８が固定的に設置され、前記モータ５８の両端には動力軸５７が装着され、前記動力軸５７と前記回転軸５２との間がそれぞれ伝動ベルト５６により伝動できるように連結され、
前記モータ５８が作動し、四つの前記伝動歯車５１を回転させる。
【００１６】
初期状態では、洗浄輪４０が収縮溝３８の中に位置しており、噛合歯車４９と伝動歯車５１とが噛合していなく、固定ブロック２４と押しロッド６１とが当接しており、押しばね６２が圧縮状態にある。
【００１７】
装置が作動するとき、モータ５８が正方向に回転し作動し、動力軸５７を駆動し回転させ、それにより回転軸５２が回転し、ベルト６５により回転歯車２８を回転させ、それにより固定ブロック２４が上昇し挟みブロック１２を上昇連動させ、そして、マウスパッドの上端を挟み溝１３の中に置き、固定ロッド１９を上に引きスライド板１５を上昇連動させ、それにより回転ロッド２０により左右側の挟みロッド２２を向かい合って回転させマウスパッドの上端の前後をきつく挟ませ、固定ロッド１９の下端面を回転させて挟みブロック１２の上端面と当接させてスライド板１５を固定し、空きチャンバ３５の中に洗浄水を入れ、モータ５８が反転し、挟みブロック１２が下がり挿入溝１１と挿入するように連結され、マウスパッドを空きチャンバ３５の中にに浸し、浸した後、モータ５８が正方向に回転し、挟みブロック１２がマウスパッドを上昇連動させ、押しロッド６１が押しばね６２の作用により上昇し、プッシュブロック４５を空きチャンバ３５の方向へ移動させ、それにより左右の洗浄輪４０が向かい合って移動しマウスパッドと当接し、このとき噛合歯車４９が伝動歯車５１と噛合し、洗浄輪４０を回転させて、マウスパッドを上から下まで洗浄し、そして、電磁バルブ３７がオープンし、空きチャンバ３５の中にある洗浄水を排出し、同じ操作で空きチャンバ３５の中できれいな水を入れ、マウスパッドにある洗浄液を洗浄し、洗浄した後、空きチャンバ３５の中にある水を排出し、モータ５８が作動し、歯状ベルト３２により羽根３４を回転させ、風を生成しマウスパッドを乾燥する。
【００１８】
本発明の有益的な効果は：本発明は構造が簡単で、操作が便利であり、マウスパッドを浸し、こすり洗い、洗浄し、乾燥する過程で洗浄し、その過程は自動化程度が高く、人工を節約し、洗浄時間が短くなり、また洗浄されたマウスパッドが直接に使用されることができ、便利で高効率である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。